(57)【要約】      （修正有）【課題】真空引きを開始してからの経過時間を正確に確認することができ、また、真空引きを停止してからも経過時間のカウントを継続することができる真空ポンプを提供する。【解決手段】真空ポンプは、気体を吸引排出して真空引きを行う真空引き機構２と、真空引き機構の駆動手段３と、時間表示可能な表示手段８と、駆動手段および表示手段の制御手段９とを備える。制御手段は、駆動手段の作動の有無を切り替えると共に、真空引きを開始してからの経過時間を計時し、計時された時間を表示手段にカウントアップして表示する。また、真空ポンプの駆動手段および制御手段へ給電する電源３１と、表示手段および制御手段へ給電する電源３２とが異なる。【選択図】図５
0003222332.tif 000002
【実用新案登録請求の範囲】
【請求項１】
吸気口から排気口へ気体を吸引排出する真空引き機構と、前記真空引き機構の駆動手段とを有する真空ポンプであって、
表示手段と、
前記駆動手段の作動の有無を切り替えると共に、真空引きを開始してからの経過時間を計時し、その計時された時間を前記表示手段にカウントアップして表示する制御手段と
を備えることを特徴とする真空ポンプ。
【請求項２】
前記駆動手段および前記制御手段へ給電する電源と、前記表示手段および前記制御手段へ給電する電源とが異なる電源である
ことを特徴とする請求項１に記載の真空ポンプ。
【請求項３】
前記制御手段は、スイッチがオンにされることで、前記駆動手段を作動させて前記真空引き機構により真空引きを開始すると共に、前記経過時間を前記表示手段に表示させ、
前記駆動手段および前記制御手段への給電が停止されると、真空引きは停止するが、前記経過時間の前記表示手段への表示は継続させる
ことを特徴とする請求項２に記載の真空ポンプ。
【考案の詳細な説明】
【技術分野】
【０００１】
本考案は、真空ポンプに関するものである。
【背景技術】
【０００２】
下記特許文献１には、二次電池を備えることで、商用電源が通じていない場所においても使用することができる真空ポンプが開示されている。この真空ポンプは、たとえば、オイルを利用したロータリー式の真空ポンプである従来公知の油回転真空ポンプである。
【０００３】
しかしながら、従来の真空ポンプは、真空引きを開始してからの経過時間を確認する手段を有しておらず、使用者にとって必ずしも使い勝手のよい構成とはなっていない。また、下記非特許文献１に記載の真空ポンプは、設定時間だけ真空引きさせるためのタイマ機能を有しているが、これはカウントダウン形式であって、真空引きを開始してからの経過時間を正確に表示するものではない。
【先行技術文献】
【特許文献】
【０００４】
【特許文献１】特開２００８−１８００９８号公報
【非特許文献】
【０００５】
【非特許文献１】デンゲン株式会社  真空ポンプ  ＣＳ−７５９ＹＦ  インターネット＜ｈｔｔｐ：／／ｗｗｗ．ｄｅｎｇｅｎ．ｃｏ．ｊｐ／ｉｎｄｅｘ２．ｈｔｍｌ＞
【考案の概要】
【考案が解決しようとする課題】
【０００６】
本考案は、このような問題に鑑みてなされたものであり、その主たる目的は、真空引きを開始してからの経過時間を正確に確認することができる真空ポンプを提供することにある。また、他の目的は、真空引きを停止してからも前記経過時間のカウントを継続して、真空引きを停止してからの経過時間も確認することができるようにすることにある。
【課題を解決するための手段】
【０００７】
上記目的を達成するための本考案に係る真空ポンプは、吸気口から排気口へ気体を吸引排出する真空引き機構と、前記真空引き機構の駆動手段とを有する真空ポンプであって、表示手段と、前記駆動手段の作動の有無を切り替えると共に、真空引きを開始してからの経過時間を計時し、その計時された時間を前記表示手段にカウントアップして表示する制御手段とを備えることを特徴とする。
【０００８】
また、本考案に係る真空ポンプは、前記駆動手段および前記制御手段へ給電する電源と、前記表示手段および前記制御手段へ給電する電源とが異なる電源であることを特徴とする。
【０００９】
さらに、本考案に係る真空ポンプは、前記制御手段は、スイッチがオンにされることで、前記駆動手段を作動させて前記真空引き機構により真空引きを開始すると共に、前記経過時間を前記表示手段に表示させ、前記駆動手段および前記制御手段への給電が停止されると、真空引きは停止するが、前記経過時間の前記表示手段への表示は継続させることを特徴とする。
【考案の効果】
【００１０】
本考案に係る真空ポンプによれば、制御手段によって、駆動手段を作動させて真空引き機構により真空引きを開始してからの経過時間が計時され、その計時時間が表示手段にカウントアップして表示される。従って、使用者は、真空引きを開始してからの経過時間を正確かつ容易に確認することができる。
【００１１】
また、本考案に係る真空ポンプによれば、駆動手段およびその制御手段へ給電する電源と、経過時間の表示手段およびその前記制御手段へ給電する電源とが異なるので、駆動手段および制御手段への給電が停止しても、表示手段に経過時間を表示することができる。従って、真空引きが停止してからの経過時間を確認することができる。
【００１２】
さらに、本考案に係る真空ポンプによれば、スイッチの操作によって、真空引きを開始させると共に経過時間を表示させ、スイッチの操作以外で真空引きを停止しても、経過時間の表示はそのまま継続して表示される。従って、経過時間を表示することができる真空ポンプを簡易な構成とすることができる。
【図面の簡単な説明】
【００１３】
【図１】本考案の真空ポンプの一実施例を示す概略斜視図である。
【図２】図１の真空ポンプの概略斜視図であり、図１とは異なる側から見た状態を示している。
【図３】図１の真空ポンプの概略背面図である。
【図４】図１の真空ポンプの動作原理を示す説明図である。
【図５】図１の真空ポンプのシステムの一例を示す概略ブロック図である。
【図６】表示手段の一例を示す図である。
【考案を実施するための形態】
【００１４】
以下、本考案の真空ポンプの具体的実施例を図面に基づいて詳細に説明する。
【００１５】
図１から図５は、本考案の真空ポンプの一実施例を示す図であり、図１は概略斜視図、図２は図１とは異なる側から見た概略斜視図、図３は概略背面図、図４は動作原理の説明図、図５はシステムの一例を示す概略ブロック図である。本実施例の真空ポンプ１は、真空引きを行う真空引き機構２と、真空引き機構２の駆動手段３とを有しており、たとえば、オイルを利用したロータリ式の真空ポンプである油回転真空ポンプである。この真空ポンプ１は、中空状で取っ手４および脚部５が設けられた胴体部６と、胴体部６の前端部に設けられる中空状のタンク部７とを備えており、これらの内部に前述した真空引き機構２とその駆動手段３とが内蔵される。また、真空ポンプ１は、時間表示可能な表示手段８と、駆動手段３および表示手段８を制御する制御手段９とを備える。
【００１６】
真空引き機構２は、真空ポンプ１内に回転可能に設けられる第一ロータ１０および第二ロータ１１と、第一ロータ１０に進退可能に設けられる第一ベーン１２および第二ロータ１１に進退可能に設けられる第二ベーン１３と、各ロータ１０，１１に対して各ベーン１２，１３を外方へ付勢する付勢手段１４とを有している。本実施例の真空ポンプ１は、シリンダ１５の内部に第一空間１６と第二空間１７とが形成されており、それらは互いに連通している。第一空間１６および第二空間１７は、正面視略円形状に形成されている。
【００１７】
第一空間１６には、第一ロータ１０が偏心して回転可能に配置される。第一ロータ１０には、軸心を挟んで溝部１８が外方へ開口して形成されている。各溝部１８は、第一ロータ１０の半径方向へ沿って形成されており、その内部に第一ベーン１２が進退可能に設けられる。第一ベーン１２は、溝部１８に収容可能とされる一方、先端部が溝部１８の開口を介して溝部１８から突出可能とされる。この際、第一ベーン１２は、第一ロータ１０の溝部１８から突出するように、付勢手段１４により付勢される。本実施例では、付勢手段１４は、コイルバネとされる。コイルバネ１４は、基端部が溝部１８の底部に設けられ、先端部に第一ベーン１２の基端部が設けられる。
【００１８】
第二空間１７には、第一空間１６に設けられる第一ロータ１０と同様にして第二ロータ１１が設けられ、第二ロータ１１に第二ベーン１３が第一ベーン１２と同様にして設けられる。すなわち、第二空間１７には、第二ロータ１１が偏心して回転可能に配置される。第二ロータ１１には、軸心を挟んで溝部１９が半径方向へ沿って形成されており、その溝部１９に収容可能とされる一方、先端部が溝部１９の開口を介して突出可能に第二ベーン１３が設けられる。第二ベーン１３は、付勢手段１４であるコイルバネの先端部に設けられ、そのコイルバネ１４の基端部は溝部１９の底部に設けられる。
【００１９】
第一空間１６と第二空間１７とは、連通路２０を介して互いに連通している。第一空間１６の内外は、吸気口２１を介して連通されている。一方、第二空間１７の内外は、排気口２２を介して連通されている。排気口２２は、排気弁２３により開閉可能とされている。
【００２０】
図２に示されるように、真空ポンプ１の胴体部６の右側には、吸気口２１と連通され、真空引きが行われる配管などに連通して設けられるホースの接続部２４が設けられる。接続部２４には、内部に設けられたバルブを開閉操作するための操作部２５が設けられる。また、図１、図２および図４に示されるように、真空ポンプ１のタンク部７の上部には、排気口２２と連通され、真空引き中にポンプ１外へ気体を排出する排気部２６が設けられる。排気部２６は、タンク部７から上方へ突出して設けられる筒部２７と、筒部２７に着脱可能に設けられる蓋部２８とを有している。
【００２１】
駆動手段３は、両ロータ１０，１１を回転させる手段であって、本実施例ではモータとされる。従って、モータ３を作動させることで、両ロータ１０，１１を回転させて配管などの真空引きを行うことができる。具体的には、両ロータ１０，１１を回転させることで、両ロータ１０，１１に設けられた各ベーン１２，１３が、コイルバネ１４によって各空間１６，１７の内周面に接触しつつ各ロータ１０，１１と共に回転される。この際、潤滑およびシールのために、オイルが用いられる。
【００２２】
これにより、各ロータ１０，１１、各ベーン１２，１３およびシリンダ１５により形成された空間の容積が変化して、配管内から吸気口２１を介して吸引された気体は、各ロータ１０，１１の回転と共に圧縮されて、排気口２２から排出することができる。排気口２２からの気体は、排気口２２と連通する筒部２７と蓋部２８との間の隙間からポンプ１外へ排出される。この真空ポンプ１の運転中のオイルミストは、マフラーにより防止される。
【００２３】
本実施例では、排気部２６は、真空ポンプ１内に貯留される前記オイルの注入口を兼用している。排気部２６から真空ポンプ１内にオイルを注入する際には、蓋部２８が外されて、筒部２７からオイルが注入される。真空ポンプ１内に貯留されたオイルの量は、タンク部７の前端部に設けられたオイルレベルゲージ２９で確認することができる。このように、本実施例の真空ポンプ１は、吸気口２１から排気口２２へ気体を吸引排出する真空引き機構２と、真空引き機構２の駆動手段３とを有し、真空引きを行う箇所の構造が従来公知の２段式の回転翼型油回転真空ポンプである。
【００２４】
表示手段８は、真空引きを開始してからの経過時間が表示されるものであり、本実施例では、経過時間がデジタル表示される。表示手段８は、側面視略矩形状に形成されており、真空ポンプ１の胴体部６の後端部の左側に設けられる。
【００２５】
制御手段９は、駆動手段３の作動の有無を切り替えると共に、真空引きを開始してからの経過時間を計時し、その計時された時間を表示手段８にカウントアップして表示するものである。そのため、制御手段９は、表示手段８、モータ３および真空ポンプ１の胴体部６の後面に配置されるスイッチ３０などに接続されている。そして、制御手段９は、スイッチ３０からの指示に基づき、後述するようにポンプ１を制御する。
【００２６】
本実施例では、駆動手段３および制御手段９へ給電する電源３１と、表示手段８および制御手段９へ給電する電源３２とが異なる。典型的には、駆動手段３および制御手段９へは、商用電源から給電される。そのため、真空ポンプ１の後端部には、商用電源のコンセントに接続されるプラグ３３付き電源コード３４が設けられる。一方、表示手段８および制御手段９へは、真空ポンプ１に設けられる一次電池または二次電池から給電される。
【００２７】
このような構成であるので、コンセントにプラグ３３が差し込まれた状態において、スイッチ３０がオンにされると、制御手段９は、モータ３を作動させて真空引きを開始する。この際、真空ポンプ１の胴体部６の左側に設けられた真空計３５により、真空ポンプ１の吸気口２１の真空度が検出されて表示される。真空計３５は、たとえば電源を必要としないアナログ表示のブルドン管真空計である。但し、それ以外の真空計であってもよい。また、制御手段９は、真空引きを開始してからの経過時間を計時して表示手段８に表示させる。この状態から、スイッチ３０がオフにされると、制御手段９は、モータ３を停止させて真空引きを停止する。また、制御手段９は、経過時間の計時を停止する。そして、スイッチ３０がオフにされるとすぐに、時間表示が消えて、計時時間がリセットされる。なお、表示手段８には、真空引きが停止した時間が所定時間表示されてもよい。この場合、所定時間経過後、その時間表示が消え、計時時間がリセットされる。
【００２８】
前述したようにスイッチ３０がオンにされた状態において、モータ３および制御手段９への給電が停止された場合、すなわち本実施例ではコンセントからプラグ３３が抜き取られた場合、モータ３が停止して真空引きが停止するが、経過時間の計時および経過時間の表示手段８への表示は継続される。これは、モータ３および制御手段９へ給電する電源３１と、表示手段８および制御手段９へ給電する電源３２とが異なるからである。
【００２９】
本実施例の真空ポンプ１の場合、外面に設けられる表示手段８に真空引きを開始してからの経過時間がカウントアップして表示される。従って、従来のカウントダウンするタイマと比較して、真空引きを開始してからの経過時間を容易に確認することができる。また、本実施例の真空ポンプ１の場合、モータ３および制御手段９の電源３１と、表示手段８および制御手段９の電源３２とが異なるので、モータ３および制御手段９への給電が停止した場合においても、表示手段８に経過時間を表示することができる。
【００３０】
さらに、本実施例の真空ポンプ１の場合、制御手段９は、スイッチ３０がオンにされることで、モータ３を作動させて真空引き機構２により真空引きを開始すると共に、経過時間を表示手段８に表示させる。そして、コンセントからプラグ３３が抜き取られて、モータ３および制御手段９への給電が停止されると、真空引きは停止するが、経過時間の表示手段８への表示は継続させる。また、真空計３５の表示は継続される。従って、真空ポンプ１に接続される配管の気密性を確認することができる。たとえば、コンセントからプラグ３３が抜き取られてから５分間真空が維持されていれば、配管に漏れがないとした場合、その５分間を表示手段８に表示される時間から確認することができる。
【００３１】
本考案の真空ポンプは、前記実施例の構成に限らず適宜変更可能である。たとえば、前記実施例では、経過時間を表示する表示手段８と真空計３５とが設けられたが、表示手段８に経過時間と真空度とが切り替えて表示されるように構成してもよい。図６は、表示手段の一例を示す図である。この場合、真空ポンプ１は、吸気口２１の真空度を検出するセンサと、経過時間の表示と真空度の表示とを切り替える切替スイッチ３６と有し、それらが制御手段９に接続されている。そして、切替スイッチ３６が押されるたびに、制御手段９は、前記センサにより検出された真空度が表示される場合と、経過時間が表示される場合とに切り替える。なお、図６に示されるように、切替スイッチ３６に隣接して、表示手段８に時間または真空度を表示させたりさせなかったりを切り替える電源スイッチ３７が設けられる。
【００３２】
また、この場合、センサからの検出信号に基づき、モータ３を制御してもよい。たとえば、真空度が設定値（たとえば０．１Ｍｐａ）となってから設定時間（たとえば３０分）経過後、設定されたモータ３の回転数に減少させて最適化が図られる。すなわち、所望の真空度を維持可能な範囲で、モータ３の回転数を最小化する。これによって、作業中の消費電力を低下させることができる。これらの制御は、大型の真空ポンプに適用されるのが好ましい。
【産業上の利用可能性】
【００３３】
本考案は、経過時間を確認することができる真空ポンプに好適に適用される。
【符号の説明】
【００３４】
１  真空ポンプ
２  真空引き機構
３  モータ（駆動手段）
８  表示手段
９  制御手段
２１  吸気口
２２  排気口
３０  スイッチ
３１  電源
３２  電源
【図１】
0003222332.tif 000003
【図２】
0003222332.tif 000004
【図３】
0003222332.tif 000005
【図４】
0003222332.tif 000006
【図５】
0003222332.tif 000007
【図６】
0003222332.tif 000008